Podtech/llm-jp-corpus-v4-ja_patent huggingface dataset:
(57)【要約】      （修正有）【課題】夜間や昼間でも自然光が届かない場所で二次側における過電流により二次側への給電が遮断されたとき、自動的に非常用の照明機器を点灯させることにより身の安全を確保（避難等）し、家電製品を含む家の状況を把握して二次災害を未然に防止することができる配線用遮断器を提供する。【解決手段】配線用遮断器３００の一次側に非常照明用リレー回路７００を設け、このリレー回路に、二次側における過電流により二次側への給電が遮断されたとき、常時はＯＮ状態のＡ接点７０１をＯＦＦ状態のＢ接点７０２に変更するＣ接点を設け、Ｂ接点に非常用電燈７０３を接続した。【選択図】図１
0003222720.tif 000002
【実用新案登録請求の範囲】
【請求項１】
配線用遮断器の一次側において、二次側における過電流により二次側への給電が遮断されたとき、Ａ接点をＢ接点に変更するＣ接点を設け、前記Ｃ接点のＢ接点に非常用電燈を接続した非常照明用リレー回路を設けたことを特徴とする配線用遮断器。
【考案の詳細な説明】
【技術分野】
【０００１】  本考案は、建屋内・外で使用する家庭用電力をコントロールする為の配線用遮断器に関するものである。
【背景技術】
【０００２】  配線用遮断器において、従来、二次側の回路に異常な電流が流れたとき、分電盤に組み込まれた配線用遮断器が遮断動作して、電気火災など電気による二次災害を防止する配線用遮断器付分電盤はあった。【０００３】  しかしこの従来の配線用遮断器は、配線用遮断器が遮断されているか否かの表示ランプはあるものの遮断されると消灯するものであり、過電流により遮断された後は、夜間等の場合に室内は真っ暗闇になり、配線用遮断器の位置が分からなく配線用遮断器を元に復帰することが甚だ困難である。
このように夜間の過電流による停電後には手探りで得たローソクの点火などによりようやくの給電再開の際は、電気機器に損傷があることを知らずに過ごすと火災になる可能性があり甚だ危険である。
【考案の開示】
【考案が解決しようとする課題】
【０００４】  本考案は、夜間や昼間でも自然光が届かない場所で二次側の負荷回路における過電流により二次側への給電が遮断されたとき、自動的に非常用の照明機器を点灯させることにより身の安全を確保（避難等）し、家電製品を含む家の状況を把握して二次災害を未然に防止することができる配線用遮断器を提供する。
【課題を解決するための手段】
【０００５】  本考案は、配線用遮断器の一次側において、二次側における過電流により二次側への給電が遮断されたときＡ接点をＢ接点に変更するＣ接点を設け、前記Ｃ接点のＢ接点に非常用電燈を接続した非常照明用リレー回路を設けたことを特徴とする配線用遮断器である。
【考案の効果】
【０００６】  本考案の配線用遮断器は、正常時には、前記配線用遮断器がＯＮ状態にあるので、その一次側の非常照明用リレー回路のＣ接点には二次側への電圧が印加されており、入口接続端子に接続のＡ接点はＯＮ状態に保持され二次側に給電しているが、この時、入口接続端子にも接続のＢ接点はＯＦＦ状態であるため前記非常用電灯は消灯の状態にある。
次に配線用遮断器は、過電流により二次側に設けた電磁石コイルの瞬時の磁着作用で遮断されると一次側の前記Ｃ接点のＡ接点がＯＦＦ状態になり二次側への給電を遮断すると同時にＢ接点がＯＮ状態になる。このＢ接点のＯＮ動作により、Ｂ接点に接続してある入口接続端子から非常照明用リレー回路を介して非常用の照明機器に電気を供給して点灯する。この照明機器の点灯により身の安全を確保（避難等）し、家電製品を含む家の状況を把握して二次災害を未然に阻止することができる。
【図面の簡単な説明】
【０００７】
【図１】本考案の配線用遮断器の実施例１を示す平面回路説明図である。
【考案を実施するための形態】
【０００８】  本考案の実施形態は、図１に示す実施例１により詳細に説明する。
【実施例１】
【０００９】  分電盤１００は、図１に示すように、単相３線の１００Ｖ／２００Ｖものであり商用電源からの電線１０１と接続される入口接続端子１０２と、過電流から回路を保護する主遮断器２００を有する配線用遮断器（：漏電ブレーカ）３００と、前記入口接続端子１０２と前記主遮断器２００とを接続する入口部配線１０３と、主遮断器２００の下流に配線された主配線１０４と、主配線１０４の過電流を検出する変流器４００と、変流器４００により検出された過電流に基づいて主遮断器２００を遮断する過電流継電器５００と、前記主配線１０４から分岐されて各室の室内配線１０５と接続される各室分岐配線１０６と、各室分岐配線１０６に接続した個別遮断器６００とを備えてなる例である。【００１０】  而して、前記配線用遮断器３００の一次側において、非常照明用リレー回路７００を設けてある。
非常照明用リレー回路７００は、二次側における過電流により二次側への給電が遮断されたときＡ接点７０１をＢ接点７０２に変更するＣ接点を設け、前記Ｃ接点のＢ接点７０２に非常用電燈７０３を接続してある。【００１１】  この回路構成により、正常時には、前記配線用遮断器３００がＯＮ状態にあるので、その一次側の非常照明用リレー回路７００のＣ接点のＡ接点７０１にはには二次側への電圧が印加されており、入口接続端子１０２に接続のＡ接点７０１はＯＮ状態に保持され二次側に給電しているが、この時、入口接続端子１０２にも接続のＢ接点７０２はＯＦＦ状態であるため前記非常用電灯７０３は消灯の状態にある。【００１２】  次に配線用遮断器３００は、過電流により過電流継電器５００における電磁石コイルの瞬時の磁着作用で主遮断器２００が遮断されると前記非常照明用リレー回路７００のＣ接点のＡ接点７０１がＯＦＦ状態になり二次側への給電を遮断すると同時にＢ接点７０２がＯＮ状態になる。このＢ接点７０２のＯＮ動作により、Ｂ接点７０２に接続してある入口接続端子１０２から非常用の照明機器７０３に電気を供給して点灯する。この照明機器７０３の点灯により身の安全を確保（避難等）し、家電製品を含む家の状況を把握して二次災害を未然に阻止することができる。
【産業上の利用可能性】
【００１３】  本考案は、前記ように簡単な回路構成の配線用遮断器により前記した優れた作用効果を呈するため、一般家庭は勿論、小規模工場の配線用遮断器に適用され漏電による二次災害を未然に防止することが出来るので電力業界に貢献すること多大なものがある。
【符号の説明】
【００１３】１００：分電盤
１０１：電線
１０２：入口接続端子
１０３：入口部配線
１０４：主配線
１０５：室内配線
１０６：各室分岐配線
２００：主遮断器
３００：配線用遮断器（：漏電ブレーカ）
４００：変流器
５００：過電流継電器
６００：個別遮断器
７００：非常照明用リレー回路
７０１：Ａ接点
７０２：Ｂ接点
７０３：非常用電燈
【図１】
0003222720.tif 000003
(57)【要約】      （修正有）【課題】防刃衣類において不審者が接近して来たとき刃物には防刃複合材で身を守り人身事故をなくす、又不審者の接近については催涙ガスを発射し、人身の安全性を高める為の防刃衣類を提供する。【解決手段】防刃衣類において、前見頃、後見頃、袖下は防刃複合材を収納する防刃複合材収納部を設け、前記防刃複合材収納部は、前見頃と後見頃、袖下３の各々の外側布地が内側布地に重なるように接合され、前記袖下は、催涙ガスボンベ６を収納する催涙ガスボンベ収納部５を設けた。【選択図】図１
0003222714.tif 000002
【実用新案登録請求の範囲】
【請求項１】
防刃衣類において、前見頃、後見頃、袖下は防刃複合材を収納する防刃複合材収納部を設け、前記防刃複合材収納部は、前見頃と後見頃、袖下の各々の外側布地が内側布地に重なるように接合され、前記袖下は、催涙ガスボンベを収納する催涙ガスボンベ収納部を設けた。防刃を特徴とする防犯衣類。
【請求項２】
前記防刃複合材は、炭素繊維による織布と２００μＭの薄い金属性のシ一トとを樹脂で接合したことを特徴としており。又催涙ガスボンベは持ち運びし易い小型としたことを特徴とする請求項１に記載の防刃衣類。
【考案の詳細な説明】
【技術分野】
【０００１】本考案は、前見頃、後見頃、袖下左右に防刃複合材収納部を設け、袖下左右に催涙ガスボンベ収納部を設けた、防刃衣類。
【背景技術】
【０００２】侵入者が刃物で人を刺す場合に何の防御もしていない状態で刺され、重症又は死亡する場合が多い。
【先行技術文献】
【特許文献】
【０００３】
【特許文献１】特開２００５−１９４６７７
【考案の概要】
【考案が解決しようとする課題】
【０００４】  道路、コンビニ、その他多くの場所で不審者が刃物で人を刺す場合、刺される側は何の防御もしていない状態で刺されているのが現状である。特開２００５一１９４６７７に記載されている内容の７枚の防刃シ一トは女性には重く、がさばり夏場の着用は無理、又コストがかかり問題である。又不審者が目前に来ても催涙ガスが装備されていない為対応が不可能である、などの点を解決しようとするものである。
【課題を解決するための手段】
【０００５】  防刃衣類において、前見頃、後見頃、袖下は防刃複合材を収納する防刃複合材収納部を設け、前記防刃複合材収納部は、前見頃、後見頃、袖下の各々の外側布地が内側布地に重なるように接合され、前記袖下は、催涙ガスボンベを収納する催涙ガスボンベ収納部を設け、催涙ガスボンベ収納部は、袖下の外側布地に重なるように接合されている。それらはベスト、インナ一、長袖シャツ、ツナギ等に適用するもので、不審者が刃物で人を刺に来た時、防刃複合材で防御し、なお且つ催涙ガスで身動き不可能状態にして人身事故を防止し前述の欠点を解決しょうとするものである。
【考案の効果】
【０００６】  上述の様に本考案は不審者が刃物を持って向かって来ても防刃衣類を身に付けておけば、刃物で刺されても防刃複合材があるため刃物が身体まで届かず、又その時点で催涙ガスを発射する事により不審者は身動き出来ず拘束可能であり、この装置は効果がある。
【図面の簡単な説明】
【０００７】
【図１】防刃衣類２の前見頃図で防刃複合材４を各々２枚又は６枚に分割された収納部に１枚ずつ収容し、袖下には催涙ガスボンベ６を収容する催涙ガスボンベ収納部５を装備し前面はファスナ一１により前見頃を止めている。
【図２】防刃衣類２の後見頃図で防刃複合材４を各々２枚又は４枚に分割された収納部に１枚ずつ収容している。
【図３】防刃衣類２の袖下側面図で防刃複合材は左右に各々１枚又は３枚に分割された収納部に１枚ずつ収容し、催涙ガスボンベ６を収容する催涙ガスボンベ収納部５を装備している。
【考案を実施するための形態】
【０００８】不審者に合いそうな状態の人は予めこの防刃衣類に防刃複合材を入れ安全を確保する。又催涙ガスボンベはロックをはずし噴射状態にして侵入者の対応に備える。
【実施例】
【０００９】  防刃衣類２は前見頃、後見頃、袖下に分かれ、本発明の炭素繊による織布と金属製シ一トを樹脂で接合した防刃複合材を各々のポケットに１枚ずつ収容されている事を確認し。又催涙ガスボンベは催涙ガスボンベ収納部５より取り出しロックをはずし噴射状態にして、噴射する事を確認する。
【符号の説明】
【００１０】      １  ファスナ一
２  防刃衣類本体
３  袖下
４  収納部
５  催涙ガスボンベ収納部
６  催涙ガスボンベ
【図１】
0003222714.tif 000003
【図２】
0003222714.tif 000004
【図３】
0003222714.tif 000005
【手続補正書】
【提出日】令和1年6月6日(2019.6.6)
【手続補正１】
【補正対象書類名】実用新案登録請求の範囲
【補正対象項目名】全文
【補正方法】変更
【補正の内容】
【実用新案登録請求の範囲】
【請求項１】
防刃衣類において、前見頃、後見頃、袖下は防刃複合材を収納する防刃複合材収納部を設け、前記防刃複合材収納部は、前見頃と後見頃、袖下の各々の外側布地が内側布地に重なるように接合され、前記袖下は、催涙ガスボンベを収納する催涙ガスボンベ収納部を設けた、防刃を特徴とする防犯衣類。
【請求項２】
前記防刃複合材は、炭素繊維による織布と２００μＭの薄い金属性のシ一トとを樹脂で接合したことを特徴としており、又催涙ガスボンベは持ち運びし易い小型としたことを特徴とする請求項１に記載の防刃衣類。
(57)【要約】      （修正有）【課題】サイクリング時の休憩用折り畳み椅子を自転車の車体を利用し簡単に作る。【解決方法】自転車の車体を利用する折り畳み椅子であって、自転車のペダルアームに保持板５−１、保持棒５−２、脚１、ハの字状の脚２、を設置し転倒を防ぐ。脚３を脚２にピン結合し、脚４を脚３にピン結合して椅子の脚部とし、各脚の上部に布８に結合された梁６、梁７を差し込み座部とし布の延長をサドル下でフレームに結び背もたれとする、折り畳み時は梁を抜き、脚を畳み略平行の状態で布で巻き携行できる。【選択図】図１
0003222718.tif 000002
【実用新案登録請求の範囲】
【請求項１】
自転車の車体を利用する折り畳み椅子であって、停止時ペダルが最下部の状態で、ペダルアームの内外面を挟む保持板と、該保持板に結合されペダル軸の上下面を挟む保持棒とを持つ結合部と、該結合部をピン結合した第一の脚と、該第一の脚下部にピン結合され車体の前後方向にハの字に開き、車体の側面斜め下向に向かって地面まで伸びる２本の第二の脚と、該第二の脚の各々２本の下端よりピン結合され、車体の進行方向の略直角外向き斜め上方に向かう２本の第三の脚と、該各々２本の第三の脚の略中間に下部を地面に接し、Ｘ形にピン結合された２本の第四の脚と、前記第三と第四の各々の脚上部に同じ脚間に渡され、両端にピンを持ち前記脚上部に着脱可能に結合された第三の梁と、第四の梁と、前記第三の梁を先端で結合し、かつ前記第四の梁を中間結合し、末端はサドル下で自転車に結合する布と、を具備する、折り畳み椅子。
【考案の詳細な説明】
【技術分野】
【０００１】  サイクリングに携行し休憩時に使用する折り畳み椅子
【背景技術】
【０００２】  この考案は文献１の椅子を、より実用レベルに進化させた折り畳み椅子である。
【文献１】
特願  ２０１７−１６０６１８
【考案の開示】
【考案が解決しようとする課題】  上記文献１の椅子部は折り畳み可能であるが、サイクリングに携行するにはまだ大きくかつ現在サイクリング者は荷台の無い自転車で水筒のみ携行する人が多い。従って上記椅子を水筒の容積程度に折り畳めば携行可能である。サイクリング者がくつろぐに十分な容積を持ち、かつ小さく折り畳め、車種の寸法の違いに対応できる椅子が課題である。
【考案が解決しようとする手段】
【０００３】    自転車の車体を利用する折り畳み椅子で、停止時ペダルが最下部の状態で、ペダルアームの内外面を挟む保持板と、該保持板に結合されペダル軸の上下面を挟む保持棒とを持つ結合部と、該結合部をピン結合した第一の脚と、該第一の脚下部にピン結合され車体の前後方向にハの字に開き、車体の側面斜め下向に向かって地面まで伸びる２本の第二の脚により自転車の転倒を防止する。
【０００４】  前記第二の脚の各々２本の下端よりピン結合され、車体の進行方向の略直角外向き斜め上方に向かう２本の第三の脚と、前記各々２本の第三の脚の略中間に下部を地面に接し、Ｘ形にピン結合された２本の第四の脚とで椅子の脚部を構成する。
【０００５】  前記第三と第四の各々の脚上部に同じ脚間に渡され、両端にピンを持ち脚上部に着脱可能に結合された第三の梁と、第四の梁とで椅子の幅を固定する。
【０００６】  前記第三の梁を先端で結合し、かつ第四の梁を中間結合し、末端はサドル下で自転車に結合する布で椅子の座部と背もたれとし、課題を解決する。
【考案の効果】
【０００７】  休息時に背もたれがあれば楽に休める、一般の折り畳み椅子に背もたれを付けると容積が増し携行に不利である。この手段を用いると自転車の車体を利用し背もたれを作る事ができる。座部の幅は第三の梁の長さとなり、また座部の奥行は第三の梁と第四の梁との間隔となる。また体重を支えるのは第三の梁と第四の梁の間の布の張力と第三第四の梁に掛かる荷重で、背もたれに掛かる荷重は自転車を引き倒す力と背が自転車を押す力とが相殺する。
【０００８】  ペダルアームの結合部である保持板と保持棒は、車種により異なる寸法に対応するための構造であり、保持板の間隔でペダルアームの厚みと保持棒の長さによりペダル軸の高さ調整が可能で、多車種の自転車スタンドの役を果たすことができる。
【０００９】  折り畳み時は布をサドル下部より外し第四の梁と第三の梁を第四の脚と第三の脚より外す。車体を起こし結合部をペダルアームより外し第二の脚のハの字を閉じて第四と第三と第二の脚を折り畳む。これにより立体であった脚構造が略平行の脚の束となる。かつ布を外周に巻き付け梱包すれば水筒の形状に近く携行し良くなる。
【考案を実施するための最良の形態】
【００１０】  以下図１、図２、図３において実施形態の一例を示す。  結合部５は自転車の後方に向かいペダルアーム１１に差し込む。ペダルアーム１１は車種により形状が異なるので図３のように保持板５−１の間隔と保持棒５−２の長さを車種によりねじ５−３で調整する。結合部５は第一の脚１とピン結合され図２の折り畳み状態より所定角度だけ開く。【００１１】  自転車を少し傾け結合部５の保持板５−１と保持棒５−２によりペダルアームと結合しピン結合された第一の脚１の下部に二股に第二の脚２を、斜め下向きで自転車の前後方向にハの字に開き地面まで伸ばし自転車の転倒防止をする。第二の脚２の下端よりピン結合で斜め上向きに第三の脚３を二列取付けその略中間にピン結合でＸ字形に第四の脚４を二列取付ける。【００１３】  ２本の第三の脚３の上部にピン部６−１を差し込み第三の梁６を固定する。同じく２本の第四の脚４の上部にピン部７−１を差し込み第四の梁７を固定する。布８の端部に第三の梁６を固定し、所定の位置に第四の梁７を固定し、布８の反対の端を自転車のサドル下部に紐８−１で取付け背もたれとする。梁の長さが座部の幅となり梁の間隔が奥行となる。【００１４】  折り畳み時は布８の紐８−１と第三の梁６と第四の梁７を外し、自転車を少し起こし、第一の脚１の結合部５を外す、保持板５−１と保持棒５−２をペダルアーム１１より外し、椅子をペダルアーム１１より外す。第三の脚３と第四の脚４を平行にし、第二の脚２を閉じ、第二の脚と第三の脚と第四の脚を略平行に並べ、共に布８でまく。【００１５】  サイクリング時の休憩時に素早く組み立てる為に事前に保持板５−１保持棒５−２を調整ネジで固定し、布の紐８−１の長さを事前に設定しフックなどで掛けるようにしておくと良い。
【図面の簡単な説明】
【００１６】
【図１】は椅子を展開し、自転車に取り付けた状態である。
【図２】は椅子を折り畳んだ状態を表す。
【図３】は結合部の詳細である。
【符号の説明】
【００１７】１      第一の脚２      第二の脚３      第三の脚４      第四の脚５      結合部５−１  保持板５−２  保持棒５−３  調整ネジ６      第三の梁６−１  第三の脚に差し込むピン部７      第四の梁７−１  第四の脚に差し込むピン部８      布８−１  自転車のサドル下部に結ぶ紐１０    自転車のサドル１１    自転車のペダルアーム
【図１】
0003222718.tif 000003
【図２】
0003222718.tif 000004
【図３】
0003222718.tif 000005
(57)【要約】      （修正有）【課題】センサーを利用した無痛注射器装置を提供する。【解決手段】温度センサー１とヒーター２と麻酔液噴射器３と超音波センサー４とを付着したバンド５と、前記バンドと超音波センサー付きの真空ポンプ注射器とを有する。【選択図】図１
0003222798.tif 000002
【実用新案登録請求の範囲】
【請求項１】
温度センサーとヒーターと麻酔液噴射器と超音波センサーをバンドに着けている無痛注射器装置であって、超音波センサー付きの真空ポンプ注射器で注入や採血ができるところを特徴とする無痛注射器装置。
【考案の詳細な説明】
【技術分野】
【０００１】
本考案は、センサーを利用した無痛注射器装置に関するものである。
【考案の概要】
【考案が解決しようとする課題】
【０００２】
小児や老人は血管が細く、注射や採血をする際に血管を探す手間と痛みを与える問題がある。従って、針を刺す際に、あらかじめ血管を膨張させ針を刺しやすくし、また麻酔液を塗布することで痛みを感じさせなくして、前述の欠点を解決しようとするものである。
【課題を解決するための手段】
【０００３】
本考案は、超音波センサーで注射や採血で針を刺す血管を探し、腕の外部より温度センサーとヒーターで３８度前後の温度で体内を走る血管を膨張させ、超音波センサーで血管の位置、深度、血流の方向を確認したうえで針を刺す血管の位置を確実に特定し、麻酔液噴射器で皮膚麻酔液を塗布し、真空ポンプ注射器で血管に空気圧により針を刺すことで、痛みも無く注射をすることが可能となることで問題点を解決している。
【考案の効果】
【０００４】
上述の様に、本考案の無痛注射器装置は、小児や老人などの血管が細い人へ痛みを伴うことなく注射や採血が出来ることに役立つ。
【図面の簡単な説明】
【０００５】
【図１】本考案の腕にまいた場合の無痛注射器装置の断面図である。
【図２】本考案の真空ポンプ注射器の側面図である。
【符号の説明】
【０００６】
1      温度センサー
2      ヒーター
3      麻酔液噴射器
4      超音波センサー
5      バンド
6      真空ポンプ注射器
【図１】
0003222798.tif 000003
【図２】
0003222798.tif 000004
【手続補正書】
【提出日】令和1年7月3日(2019.7.3)
【手続補正１】
【補正対象書類名】実用新案登録請求の範囲
【補正対象項目名】全文
【補正方法】変更
【補正の内容】
【実用新案登録請求の範囲】
【請求項１】
前記温度センサーとヒーターと麻酔液噴射器と超音波センサーとを付着したバンドと、前記バンドと超音波センサー付きの真空ポンプ注射器とを有することを特徴とする無痛注射器装置。
(57)【要約】      （修正有）【課題】収納及び、携帯を容易にすることができる収納ケースを提供する。【解決手段】収縮素材で作られた収納ケースを折りたたまずに収納することができ、鞄等の接続器具取り付け部にカラビナ等を用いて鞄に取り付けることによって、下側に向いた取り出し収納口３からケースを外さずに片手で収納ケースの取り出しが可能となる。【選択図】図１
0003222800.tif 000002
【実用新案登録請求の範囲】
【請求項１】
手のひらに納まる程度の厚手帆布を用い、下部に開閉式の開口部を設けた収納ケース
【請求項２】
上記のケースに折りたたまずにそのまま収納できるエコバッグ。その素材はヨットやパラシュートに用いられるもので、収縮性が極めて高く強度もある。
【考案の詳細な説明】
【技術分野】
【０００１】  本考案は容易な取り出し及び収納を可能にするエコバッグ一式に関するものである。
【背景技術】
【０００２】  一般的に従来のエコバッグは折りたたむなどして収納ケースにいれて使用されていた。
【考案の概要】
【考案が解決しようとする課題】
【０００３】  従来のエコバッグは使用後に折りたたみ、収納ケースに入れなければならず、その作業するためのスペース及び時間に配慮を要していた。また、エコバッグの使用自体は便利で資源保護の観点からも極めて重要であるにも関わらず、鞄の中で他の荷物に埋もれ、見つけにくいなどの理由で使用頻度が低かった。
【課題を解決するための手段】
【０００４】  本考案は、かさばらない（手のひらに収まる）程度のケースを考案し、その中に収縮性の高い素材（ヨットやパラセーリングで使われていたナイロンやポリエステル）を用いたエコバッグを折りたたまずに収納できるようにしている。さらに、着脱式の収納ケースを普段使う鞄の外側に取り付け、開口部を下側に設けることによって鞄からケースを外さずにエコバッグを取り出し、収納できるようにしている。これにより、使用者の利便性を大いに向上させ、上記課題を解決するものである。
【考案の効果】
【０００５】  従来のエコバッグは、素材や大きさを考慮すると携行に際し、別途折りたたむなどの作業が必要だった。また、携行する際もある程度の容積、さらに使用前後の保管場所も必要とされていた。本考案ではこれらの諸問題が全て解決され、エコバックの普及の一助となる。
【図面の簡単な説明】
【０００６】
【図１】  本考案の正面図である
【考案を実施するための形態】
【０００７】  エコバッグを収納する際、折りたたまずに収納ケースの下部開口部に人差し指で順次奥に送り込む。取り出す際は、人差し指と親指で開口部からエコバッグの先端をつまみ、一気に引き抜く。一連の作業において、ケースを鞄から外す必要はなく、片手での取り出しが可能となる。
【実施例】
【０００８】  鞄の取手下部にカラビナ等で本考案の収納ケースを固定する。【０００９】  エコバッグの使用の際は収納ケースを握り、ボタン部に圧力をかけることで下部のボタンが外れる。そして、下から上記形態に従ってエコバッグを取り出す。【００１０】  収納に際してはエコバッグの任意の場所から、下部開放部に差し入れ、そのまま指で奥に送り込み、すべてが収納されたらボタンを閉じる。
【符号の説明】
【００１１】１  ケース本体
２  鞄との接続器具取り付け部
３  取り出し収納部
４  エコバッグ本体
【図１】
0003222800.tif 000003
【手続補正書】
【提出日】令和1年6月12日(2019.6.12)
【手続補正１】
【補正対象書類名】実用新案登録請求の範囲
【補正対象項目名】請求項１
【補正方法】変更
【補正の内容】
【請求項１】
手のひらに納まる程度の厚手帆布を用い、下部に開閉式の開口部を設けたことを特徴とする収納ケース。
【手続補正２】
【補正対象書類名】実用新案登録請求の範囲
【補正対象項目名】請求項２
【補正方法】変更
【補正の内容】
【請求項２】
収縮性が高く、強度がある素材で作られたエコバッグ。
(57)【要約】      （修正有）【課題】単一乾電池を使用して充電する携帯電話機用の充電器を提供する。【解決手段】単一乾電池４個を直列接続しプラス側とマイナス側の間に充電するためのコ−ド２本を取り付けた携帯電話機用の充電器であって、充電する端子にアダプタ−を取り付けることにより各種の携帯電話機の充電を可能とする。【選択図】図１
0003222791.tif 000002
【実用新案登録請求の範囲】
【請求項１】
単一乾電池４個を直列接続した充電器で、停電時にも携帯電話機を充電することが出来、変わるがわる充電することが出来る。
【請求項２】
充電する端子にアダプタ−を取り付けることにより各種の携帯電話機に対応出来る。
【考案の詳細な説明】
【技術分野】
【０００１】本考案は、停電時における携帯電話機の充電に関するものである。
【背景技術】
【０００２】災害などの際、停電が発生して携帯電話機等の充電が出来なく、緊急連絡が出来ない場合が多く見られた。
【考案の開示】
【考案が解決しようとする課題】
【０００３】商用電源に頼らず持ち運べるような充電器が必要である。
【課題を解決するための手段】
【０００４】本考案は乾電池による充電方式のため停電時でも容易に充電が可能である。
アタッチメントを交換することにより各種の携帯電話機に対応出来る上に、変わるがわる何台でも充電することが出来る。
【考案の効果】
【０００５】停電時にも携帯電話機を充電出来るため、災害などの際連絡を取ることが出来る。
【考案を実施するための最良の形態】
【０００６】単一乾電池を４個直列に接続したものであり実測値は約５ボルトである。
容量を大きくするために単一の乾電池を使用する。
【図面の簡単な説明】
【０００７】
【図１】平面図で説明すると、単一乾電池を直列に接続し、プラスとマイナスの間に充電コ−ドを２本並列に接続したものである。充電用コ−ドの片方は固定式、もう一方は差し込み式でアタッチメントを交換することにより各機種に対応することが出来る。
【図１】
0003222791.tif 000003
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
単一乾電池４個を直列接続しプラス側とマイナス側の間に充電するためのコ−ド２本を取り付けた携帯電話機用の充電器
【請求項２】
充電する端子にアダプタ−を取り付けることにより各種の携帯電話機に対応できる携帯電話機用の充電器
【手続補正書】
【提出日】令和1年6月3日(2019.6.3)
【手続補正１】
【補正対象書類名】実用新案登録請求の範囲
【補正対象項目名】全文
【補正方法】変更
【補正の内容】
【実用新案登録請求の範囲】
【請求項１】
単一乾電池４個を直列接続しプラス側とマイナス側の間に充電するためのコ−ド２本を取り付けた携帯電話機用の充電器
【請求項２】
充電する端子にアダプタ−を取り付けることにより各種の携帯電話機の充電を可能とすることを特徴とする請求項１記載の携帯電話機用の充電器
(57)【要約】      （修正有）【課題】コーヒー抽出用フイルター受け筒の円錐形の筒に施した模様や絵柄でコーヒーの抽出時間を調節し美味しいコーヒーを淹れられるようにしたコーヒー抽出用フイルター受け筒を提供する。【解決手段】ハンドドリップ方式で淹れるコーヒー抽出用の円錐形のペーパーフイルター１を設置するための、上部にドリッパーを受ける穴を有したドリッパースタンドに設置するさい、ペーパーフイルターを補強し受け支えるため、樹脂、アルミ、ステンレス、紙で円錐形の筒を設け、コーヒーを抽出するさい円錐形の筒の内側にフイルターが接地することでコーヒーの抽出時間が長くならないように円錐形の筒に模様や絵柄や文字の抜き加工を施し、フイルターと円錐形の筒との接地面を少なくすることで、コーヒーの抽出時間を調節することができ、また円錐形の筒に施した模様や絵柄や文字で美的な視覚効果でコーヒーを淹れる楽しみを与えられることを特長としたコーヒー抽出用フイルター受け筒。【選択図】図１
0003222792.tif 000002
【実用新案登録請求の範囲】
【請求項１】
ハンドドリップ方式で淹れるコーヒー抽出用の円錐形のペーパーフイルターを設置するための、上部にドリッパーを受ける穴を有したドリッパースタンドに設置するさい、ペーパーフイルターを補強し受け支えるため、樹脂、アルミ、ステンレスなどの素材で円錐形の筒を設け、コーヒーを抽出するさい円錐形の筒の内側にフイルターが接地することでコーヒーの抽出時間が長くならないように円錐形の筒に模様や絵柄や文字の抜き加工を施し、フイルターと円錐形の筒との接地面を少なくすることで、コーヒーの抽出時間を調節することができ、また円錐形の筒に施した模様や絵柄や文字で美的な視覚効果でコーヒーを淹れる楽しみを与えられることを特長としたコーヒー抽出用フイルター受け筒。
【考案の詳細な説明】
【考案の詳細な説明】
【技術分野】
【０００１】本考案は、コーヒーメーカーに関するものである。
【背景技術】
【０００２】従来より、ハンドドリップ方式で淹れるコーヒードリッパーは数多く販売されており、コーヒーカップやサーバーの上に直接乗せて使える樹脂製、陶器製、ワイヤー製、金網製などの単価が安く便利なものがある。【０００３】また、ペーパーフイルターなどを使用しなくてもいい、コーヒードリッパーの形態のステンレス板自体に小さな穴を開けフイルターにしたコーヒードリッパーがある。【０００４】市場には数多くの仕様の異なるコーヒードリッパーが販売されており、顧客は各商品の一長一短を見極め購入している。
【考案がが解決しようとする課題】
そこで、この考案はハンドドリップ方式で淹れるコーヒーをより美味しく淹れるためにコーヒーを抽出する時間を調節し、また視覚的に美味しいコーヒーを淹れているという楽しみを与える意匠のコーヒー抽出用フイルター受け筒を提供することにある。
【課題を解決するための手段】
【０００５】ペーパーフイルターを補強し受け支える樹脂、アルミ、ステンレスなどの素材で円錐形の筒を設け、コーヒーを抽出するさい円錐形の筒の内側にフイルターが接地することでコーヒーの抽出時間が長くならないように円錐形の筒に模様や絵柄の抜き加工を施し抽出時間を調節し、またコーヒーを淹れる楽しみを与えるために円錐形の筒に模様や絵柄の抜き加工を施す。
【０００６】本考案のコーヒー抽出用フイルター受け筒の単体ではコーヒーを淹れることはできずコーヒー抽出用フイルター受け筒を受け支える構造体であるドリッパースタンド等の組み合わせが必要である。
【考案を実施するための形態】
【０００７】以下、この考案になるコーヒー抽出用フイルター受け筒について、図面に示す概略的な実施例にもとづいて説明する。
図１はこの考案にかかるコーヒー抽出用フイルター受け筒の概略的な実施例を示すものであって、実施例を概略的な斜視図を示すものであり円錐形の筒に施された模様や絵柄を抜き加工を施されたコーヒー抽出用フイルター受け筒の中にフイルターを入れる前の段階を示すものである。
【００７】図２はコーヒー抽出用フイルター受け筒を樹脂、アルミ、ステンレスなどの素材で形作る前の一例を示す展開図である。
【考案の効果】
【０００８】以上の考案になるこのコーヒー抽出用フイルター受け筒は円錐形の筒に模様や絵柄の抜き加工を施すことでコーヒーを抽出する最適の時間の調節をはかり美味しいコーヒーを淹れ、視覚的にも美味しいコーヒーを淹れているという楽しみを与えるとこができる。
【図面の簡単な説明】
【０００９】
【図１】図１はこの考案にかかるコーヒー抽出用フイルター受け筒の具体的な実施例の１例を示す概略的な斜視図である。
【図２】は前記、コーヒー抽出用フイルター受け筒の具体的な実施例の１例を示す概略的な平面展開図である。
【符号の説明】１  ペーパーフイルター
２  コーヒー抽出用フイルター受け筒
３  模様の穴
【図１】
0003222792.tif 000003
【図２】
0003222792.tif 000004
【手続補正書】
【提出日】令和1年6月10日(2019.6.10)
【手続補正１】
【補正対象書類名】実用新案登録請求の範囲
【補正対象項目名】全文
【補正方法】変更
【補正の内容】
【実用新案登録請求の範囲】
【請求項１】
ハンドドリップ方式で淹れるコーヒー抽出用の円錐形のペーパーフイルターを設置するための、上部にドリッパーを受ける穴を有したドリッパースタンドに設置するさい、ペーパーフイルターを補強し受け支えるため、樹脂、アルミ、ステンレス、紙で円錐形の筒を設け、コーヒーを抽出するさい円錐形の筒の内側にフイルターが接地することでコーヒーの抽出時間が長くならないように円錐形の筒に模様や絵柄や文字の抜き加工を施し、フイルターと円錐形の筒との接地面を少なくすることで、コーヒーの抽出時間を調節することができ、また円錐形の筒に施した模様や絵柄や文字で美的な視覚効果でコーヒーを淹れる楽しみを与えられることを特長としたコーヒー抽出用フイルター受け筒。
(57)【要約】      （修正有）【課題】メッキ層の密着性に優れた錫製品を提供する。【解決手段】錫からなる基材１と、基材１の表面に銀メッキ層２を有し、銀メッキ層２の上に金メッキ層３を有する。【選択図】図１
0003222739.tif 000002
【実用新案登録請求の範囲】
【請求項１】
錫からなる基材と、前記基材の表面に銀メッキ層を有し、前記銀メッキ層の上に金メッキ層を有することを特徴とする錫製品。
【請求項２】
前記銀メッキ層と前記金メッキ層の間に銅メッキ層を有することを特徴とする請求項１記載の錫製品。
【請求項３】
前記錫からなる基材は、純度９７．００〜９９．９９％の錫であることを特徴とする請求項１又は２記載の錫製品。
【考案の詳細な説明】
【技術分野】
【０００１】
本考案は素材に錫又はその合金を用い、その表面をメッキ層で装飾した錫製品に関する。
【背景技術】
【０００２】
錫又はその合金からなる錫製品は、装飾性に優れることから、いろいろな用途に使用されている。
その中でも、純度９９．００〜９９．９９質量％の錫は柔らかく、手で容易に曲げることができることから、いろいろな製品に展開されている。
しかし、錫は表面がシルバー色に近いものであり、近年はシルバー色以外の更なる高級感のある装飾も期待されている。
そこで本出願人が、錫素材の表面に電解により金メッキ層を施してみた。
ところが、錫との密着性が悪く、簡単に剥がれてしまう問題が発生した。
金メッキ浴として、これまで実用化されているアルカリ浴，中性浴，酸性浴を用いて、いろいろトライしたが、やはり軽く曲げるだけで剥がれてしまった。
【０００３】
特許文献１には、アルミ合金鋳物や鋳鉄製品等の鋳物製品の表面カーボン粉末５０ｗｔ〜８０ｗｔ％を添加した樹脂溶液を鋳物の巣穴に充填することで、メッキの密着性を向上させる技術を開示するが錫製品には適用できない。
【先行技術文献】
【特許文献】
【０００４】
【特許文献１】特開平８−２４６１８７号公報
【考案の開示】
【考案が解決しようとする課題】
【０００５】
本考案は、メッキ層の密着性に優れた錫製品の提供を目的とする。
【課題を解決するための手段】
【０００６】
本考案に係る錫製品は、錫からなる基材と、前記基材の表面に銀メッキ層を有し、前記銀メッキ層の上に金メッキ層を有することを特徴とする。
本考案者の研究によれば、錫の表面に公知のアルカリ性シアン化銀メッキ浴を用いて電気メッキ法により銀メッキを行ったところ、曲げ試験を実施しても剥がれることがなく、密着性に優れていた。
これは、Ａｇ−Ｓｎの相性が良いためと推定される。
この上に金メッキ層を電気メッキ法で形成したところ、ゴールド色の装飾が施された錫製品が得られた。
【０００７】
また、前記銀メッキ層と前記金メッキ層の間に銅メッキ層を有するようにしてもよい。
このようにすると、赤味のある銅メッキ層と金メッキ層とのコラボにより、いわゆる「サクラ色」の外観が得られた。
【０００８】
本考案は、表面メッキ仕上げの下地メッキとして銀メッキ層を形成した点に特徴があり、この銀メッキ層の上にいろいろな装飾メッキを行うことができる。
【０００９】
基材となる錫は合金であってもよいが、前記錫からなる基材は、純度９７．００〜９９．９９％の錫であると、使用する際に手で曲げて使用することもできるようになる。
また、基材となる錫製品は砂型等の鋳型を用いた重力鋳造品や、圧延板材であってもよい。
この場合に、網目状等の装飾性の高い複雑な製品の場合には、鋳型を回転させながら溶湯を鋳込む遠心鋳造が好ましい。
【００１０】
錫製品としては、コップ等の食器の下に敷くのに用いられるコースター，器状にしたつまみや小物入れ、箸置き等が例として挙げられる。
また、各種日用品であってもよい。
【考案の効果】
【００１１】
本考案に係る錫製品は、メッキ層の密着性が優れるので、錫だけでは得られない色々な色調の製品が得られる。
特にいろいろな形状に曲げて使用する製品にあっては、繰り返し曲げてもメッキ層が剥がれず、耐久性に優れる。
【図面の簡単な説明】
【００１２】
【図１】錫基材の表面構造を模式的に示す。
【図２】遠心鋳造で製作し、金メッキ仕上げしたコースターの例を示し、（ａ）は平らな状態、（ｂ）は手で曲げて器状にした状態を示す。
【図３】遠心鋳造で製作し、サクラ色にメッキ仕上げしたコースターの例を示す。（ａ）は板状（ｂ）は器状に曲げた状態を示す。
【考案を実施するための最良の形態】
【００１３】
本考案に係る錫製品の表面構造を図１に模式的に示す。
錫からなる基材１の表面に電気メッキ法にて銀メッキ層２を形成してあり、その上に金メッキ層３を形成すると、ゴールド色が得られる。
また、図示を省略したが、銀メッキ層２の上に銅メッキ層を形成し、さらにその上に金メッキ層３を形成すると、サクラ色の外観に仕上がる。
【００１４】
ゴールド色に仕上げたコースター例を図２に示す。
コースターとして食器の下に敷く際には、（ａ）のように平坦な板状にしてもよく、（ｂ）に示すように外周側を器状に手で曲げてもよい。
この場合に、小物やつまみ入れとしても使用できる。
【００１５】
図３は、さらに細い網目状にしたコースターの例であり、一般の重力鋳造では製作できないが、遠心鋳造にて製作できる。
図３では外観が分かりづらいが、銀メッキ層の上に銅メッキ層，更にその上に金メッキ層を形成することで、外観がサクラ色になっている。
いろいろな形状に曲げてもメッキ層の剥がれは生じなかった。
【符号の説明】
【００１６】
１      錫基材
２      銀メッキ層
３      金メッキ層
【図１】
0003222739.tif 000003
【図２】
0003222739.tif 000004
【図３】
0003222739.tif 000005
(57)【要約】      （修正有）【課題】メッキ層の密着性に優れた錫製品を提供する。【解決手段】錫からなる基材１と、基材１の表面に銅メッキ層２を有し、銅メッキ層２の上に銀メッキ層３を有し、さらにその上に金メッキ層４を有する。錫からなる基材１は、純度９７．００〜９９．９９％の錫である。【選択図】図１
0003222766.tif 000002
【実用新案登録請求の範囲】
【請求項１】
錫からなる基材と、前記基材の表面に銅メッキ層を有し、前記銅メッキ層の上に銀メッキ層を有し、さらにその上に金メッキ層を有することを特徴とする錫製品。
【請求項２】
錫からなる基材と、前記基材の表面に銅メッキ層を有し、前記銅メッキ層の上に金メッキ層を有することを特徴とする錫製品。
【請求項３】
錫からなる基材と、前記基材の表面に銅メッキ層を有し、前記銅メッキ層の上に銀メッキ層を有することを特徴とする錫製品。
【請求項４】
前記錫からなる基材は、純度９７．００〜９９．９９％の錫であることを特徴とする請求項１〜３のいずれかに記載の錫製品。
【考案の詳細な説明】
【技術分野】
【０００１】
本考案は素材に錫又はその合金を用い、その表面をメッキ層で装飾した錫製品に関する。
【背景技術】
【０００２】
錫又はその合金からなる錫製品は、装飾性に優れることから、いろいろな用途に使用されている。
その中でも、純度９９．００〜９９．９９質量％の錫は柔らかく、手で容易に曲げることができることから、いろいろな製品に展開されている。
しかし、錫は表面がシルバー色に近いものであり、近年はシルバー色以外の更なる高級感のある装飾も期待されている。
そこで本出願人が、錫素材の表面に電解により銅の下地メッキを行った上に金メッキ層を施してみた。
ところが、金メッキ層の密着性が悪く、簡単に剥がれてしまう問題が発生した。
金メッキ浴として、これまで実用化されているアルカリ浴，中性浴，酸性浴を用いて、いろいろトライしたが、やはり軽く曲げるだけで剥がれてしまった。
【０００３】
特許文献１には、アルミ合金鋳物や鋳鉄製品等の鋳物製品の表面カーボン粉末５０ｗｔ〜８０ｗｔ％を添加した樹脂溶液を鋳物の巣穴に充填することで、メッキの密着性を向上させる技術を開示するが錫製品には適用できない。
【先行技術文献】
【特許文献】
【０００４】
【特許文献１】特開平８−２４６１８７号公報
【考案の開示】
【考案が解決しようとする課題】
【０００５】
本考案は、メッキ層の密着性に優れた錫製品の提供を目的とする。
【課題を解決するための手段】
【０００６】
本考案に係る錫製品は、錫からなる基材と、前記基材の表面に銅メッキ層を有し、前記銅メッキ層の上に銀メッキ層を有し、さらにその上に金メッキ層を有することを特徴とする。
本考案者の研究によれば、錫の表面にシアン化第一銅を用いた銅メッキや、ストライク銅メッキを行い、その上に公知のアルカリ性シアン化銀メッキ浴を用いて電気メッキ法により銀メッキを行い、その上に常法に従い、各種金メッキを行ったところ、曲げ試験を実施しても剥がれることがなく、密着性に優れていた。
これは、Ｓｎ−Ｃｕ−Ａｇの相間での密着性の相性が良いためと推定される。
このように、銀メッキ層の上に金メッキ層を電気メッキ法で形成したところ、ゴールド色の装飾が施された錫製品が得られた。
【０００７】
また、錫からなる基材と、前記基材の表面に銅メッキ層を有し、前記銅メッキ層の上に金メッキ層を有してもよい。
このようにすると、赤味のある銅メッキ層と金メッキ層とのコラボにより、いわゆる「サクラ色」の外観が得られた。
また、錫からなる基材と、前記基材の表面に銅メッキ層を有し、前記銅メッキ層の上に銀メッキ層を有するようにしてもよい。
このようにすると、シルバー色の外観が得られる。
【０００８】
本考案は、表面メッキ仕上げの下地メッキとして、銅メッキを用いたその上に銀メッキ層を形成した点に特徴があり、この銀メッキ層の上にいろいろな装飾メッキを行うことができる。
【０００９】
基材となる錫は合金であってもよいが、前記錫からなる基材は、純度９７．００〜９９．９９％の錫であると、使用する際に手で曲げて使用することもできるようになる。
また、基材となる錫製品は砂型等の鋳型を用いた重力鋳造品や、圧延板材であってもよい。
この場合に、網目状等の装飾性の高い複雑な製品の場合には、鋳型を回転させながら溶湯を鋳込む遠心鋳造が好ましい。
【００１０】
錫製品としては、コップ等の食器の下に敷くのに用いられるコースター，器状にしたつまみや小物入れ、箸置き等が例として挙げられる。
また、各種日用品であってもよい。
【考案の効果】
【００１１】
本考案に係る錫製品は、メッキ層の密着性が優れるので、錫だけでは得られない色々な色調の製品が得られる。
特にいろいろな形状に曲げて使用する製品にあっては、繰り返し曲げてもメッキ層が剥がれず、耐久性に優れる。
【図面の簡単な説明】
【００１２】
【図１】錫基材の表面構造を模式的に示す。（ａ）はＣｕ−Ａｇ−Ａｕの三層メッキ、（ｂ）はＣｕ−Ａｇの二層メッキ、（ｃ）はＣｕ−金の二層メッキの例である。
【図２】遠心鋳造で製作し、金メッキ仕上げしたコースターの例を示し、（ａ）は平らな状態、（ｂ）は手で曲げて器状にした状態を示す。
【図３】遠心鋳造で製作し、サクラ色にメッキ仕上げしたコースターの例を示す。（ａ）は板状（ｂ）は器状に曲げた状態を示す。
【考案を実施するための最良の形態】
【００１３】
本考案に係る錫製品の表面構造を図１に模式的に示す。
錫からなる基材１の表面に電気メッキ法にて銅メッキ層２を形成し、その上に銀メッキ層３を形成してあり、その上に金メッキ層４を形成すると、ゴールド色が得られる。
図１（ｂ）は銅メッキ層２の上に銀メッキ層３を形成した例、図１（ｃ）は銅メッキ層２の上に金メッキ層４を形成することで、サクラ色に仕上げた例である。
各メッキ浴は、市販されているメッキ浴を用いることができる。
例えば銅メッキは、シアン化第一銅と遊離シアン化ナトリウムの水溶液を用いることができる。
【００１４】
ゴールド色に仕上げたコースター例を図２に示す。
コースターとして食器の下に敷く際には、（ａ）のように平坦な板状にしてもよく、（ｂ）に示すように外周側を器状に手で曲げてもよい。
この場合に、小物やつまみ入れとしても使用できる。
【００１５】
図３は、さらに細い網目状にしたコースターの例であり、一般の重力鋳造では製作できないが、遠心鋳造にて製作できる。
図３では外観が分かりづらいが、銅メッキ層の上に金メッキ層を形成することで、外観がサクラ色になっている。
いろいろな形状に曲げてもメッキ層の剥がれは生じなかった。
【符号の説明】
【００１６】
１      錫基材
２      銅メッキ層
３      銀メッキ層
４      金メッキ層
【図１】
0003222766.tif 000003
【図２】
0003222766.tif 000004
【図３】
0003222766.tif 000005
(57)【要約】【課題】、結ぶ手間もなく頭を通すだけで簡単に装着でき、普通に巻くのと同じ自然な外観が得られるスカーフを提供することを目的とする。【解決手段】スカーフ生地は輪状に、かつ両端部が束ねられ、この束ねられた束状両端部を伸縮性ゴムが収められた同素材の筒状部に縫着させたものである。【選択図】図１
0003222772.tif 000002
【実用新案登録請求の範囲】
【請求項１】
スカーフ生地は輪状に、かつ両端部が束ねられ、この束状両端部を伸縮性ゴムが収められた同素材の筒状部に縫着させたことを特徴とするスカーフ。
【請求項２】
束状両端部がひだ状に束ねられていることを特徴とする請求項１記載のスカーフ。
【請求項３】
筒状部は内部に収められた伸縮性ゴムより幅が長いことを特徴とする請求項１記載のスカーフ。
【考案の詳細な説明】
【技術分野】
【０００１】
本考案は、結ぶ手間もなく頭を通すだけで簡単に装着でき自然な外観が得られるスカーフに係るものである。
【背景技術】
【０００２】
従前からスカーフは女性の装飾用として首に巻いたり、頭を覆ったりして使用されているが、基本的には正方形の薄い布でできているため、これを装着する場合には巻き方や結び方を覚えなければならない。しかし、巻き方・結び方も色々なバリエーションがあり、スカーフを巻いてみたいけど巻き方や結び方が面倒で難しいという利用者の声も聞かれた。
また、実用新案登録第３２２１４９６号公報に示されるように、巻きつけ部材を使用して装着するタイプのスカーフも見られたが、巻きつけ部材を見せたくないという声も聞かれた。
【特許文献１】実用新案登録第３２２１４９６号公報
【考案の開示】
【考案が解決しようとする課題】
【０００３】
本考案は、上記した実状に鑑みてなされたもので、結ぶ手間もなく頭を通すだけで簡単に装着でき、普通に巻くのと同じ自然な外観が得られるスカーフを提供することを目的とするものである。
【課題を解決するための手段】
【０００４】
本考案に係るスカーフは、スカーフ生地を輪状に、かつ両端部が束ねられ、この束ねられた束状両端部を伸縮性ゴムが収められた同素材の筒状部に縫着させたものである。
【考案の効果】
【０００５】
本考案に係るスカーフによれば、スカーフ生地を輪状に、かつ両端部が束ねられ、この束ねられた束状両端部を伸縮性ゴムが収められた同素材の筒状部に縫着一体化させたものであるから、首に巻く場合は、適度に伸縮性ゴムを伸ばして開口させ、その開口空間に頭を通すだけで、結ぶ手間もなく装着できる。
また、伸縮性ゴム部分が収められた筒状部を首の後に位置させれば、スカーフ生地が透明素材であっても伸縮性ゴムが隠せるので、普通に巻くのと同じ自然な外観が得られる。
さらに伸縮性ゴムを利用すれば簡単に着脱自在なヘアアクセサリーとしても使用できる。
【図面の簡単な説明】
【０００６】
【図１】本考案に係るスカーフの実施の一例を示す概略図である。
【図２】本考案に係るスカーフの使用要領を示す概略説明図である。
【図３】本考案に係るスカーフをヘアアクセサリーとして使用する要領を示す概略説明図である。
【図４】本考案に係るスカーフを柄入りとした実施の一例の使用要領を示す正面図である。
【考案を実施するための最良の形態】
【０００７】
本考案に係るスカーフは、スカーフ生地は輪状に、かつ両端部が束ねられ、この束状両端部を伸縮性ゴムが収められた同素材の筒状部に縫着させたものである。
【実施例１】
【０００８】
以下、本考案のスカーフに適用した実施例について、図１ないし図４に従って説明する。
本考案に係るスカーフ１は、図1に示すように、シルクなどの素材の方形のスカーフ生地２を輪状に、かつ両端をひだ状に束ね、このひだ状に束ねた束状両端部２ａ、２ａを、筒状内部に収められた方形の伸縮性ゴム３より幅の長い同素材の筒状部４の両端に縫着一体化させたものである。図中、５は上記束状両端部２ａ、２ａ、伸縮性ゴム３そして筒状部４を重ね縫いした縫い目を示している。
図２に示すように、上記束状両端部２ａ、２ａをひだ状に束ねたことにより見栄えが良い上に、それ以外の部分は広がり、装着時に首まわり前面にふんわりとコンパクトに展開して装着できる。また、内部に収められた方形の伸縮性ゴム３より幅の長い同素材の筒状部４に縫着させれば、この部分もふんわりと自然な形で仕上がる上に、スカーフ生地に透明生地を使っても、首の後に配せば内部の伸縮性ゴム３を隠すことができる。
さらに、図３に示されるように、ヘアアクセサリーとしても伸縮性ゴムを利用すれば簡単に着脱可能でもある。
【０００９】
尚、上記実施例において示した束状両端部２ａ、２ａはひだ状に束ねたがそれ以外の束ね方でも無論よいし、伸縮性ゴム３や筒状部４の形状についても実施例に限定されない、束状両端部２ａ、２ａ、伸縮性ゴム３、そして筒状部４を一体化する縫着方法も実施例に限定されない。
【産業上の利用可能性】
【００１０】
本考案に係るスカーフによれば、スカーフ生地を輪状に、かつ両端部が束ねられ、この束ねられた束状両端部を伸縮性ゴムが収められた同素材の筒状部に縫着させたものであるから、首に巻く場合は、適度に伸縮性ゴムを伸ばして開口した空間に頭を通すだけで結ぶ手間もなく見栄えよく装着できる顕著な効果が得られる。また、伸縮性ゴム部分が収められた筒状部を首の後に位置させれば、スカーフ生地が透明素材であっても伸縮性ゴムが隠せるので、普通に巻くのと同じ自然な外観が得られる。さらにヘアアクセサリーとしても伸縮性ゴムを利用すれば簡単に着脱可能でもある。
【符号の説明】
【００１１】
１   スカーフ
２   スカーフ生地
２ａ 束状両端部  
３   伸縮性ゴム
４   筒状部
５   縫い目
【図１】
0003222772.tif 000003
【図２】
0003222772.tif 000004
【図３】
0003222772.tif 000005
【図４】
0003222772.tif 000006